(57)【特許請求の範囲】
【請求項１】
第１コネクタを有する第１プリント基板が設けられた筐体と、
前記第１コネクタに接続される第２コネクタを有する第２プリント基板を備え、前記筐体に形成された収納口から該筐体内へ挿入されるユニットと、
前記筐体内に上下方向に間隔を空けて設けられ、前記収納口から挿入された前記ユニットをスライド可能に支持し、前記第２コネクタを前記第１コネクタへ案内する一対のガイドレールと、
前記一対のガイドレールの少なくも一方のガイドレールにおける前記収納口側の端部に設けられ、前記第１コネクタに対して前記第２コネクタを前記ユニットの幅方向に位置決めする幅方向位置決め部と、
前記幅方向位置決め部よりも前記第１コネクタ側に位置し、前記第１コネクタに対して前記第２コネクタを上下方向に位置決めする上下方向位置決め部と、
を備え、
前記第２プリント基板が、板厚方向を前記ユニットの幅方向として配置され、
前記ユニットが、前記第２プリント基板に対して前記板厚方向の両側へ張り出す上側スライド部を有し、
上側の前記ガイドレールが、該ガイドレールに沿って延びると共に前記上側スライド部を前記板厚方向の両側からスライド可能に支持する上側ガイド溝部と、前記上側ガイド溝部の各内側面から互いに相手側へ向けて突出し、前記上側スライド部を下方からスライド可能に支持する一対のガイドリブと、を有し、
前記上下方向位置決め部が、前記一対のガイドリブの上面に形成されると共に前記収納口側へ向けて下方へ傾斜する傾斜面である、
電子機器。
【請求項２】
何れかの前記ガイドレールにおける前記第１コネクタ側の端部が、該第１コネクタに取り付けられている、
請求項１に記載の電子機器。
【請求項３】
何れかの前記ガイドレールが、上側の前記ガイドレールとされ、
前記上下方向位置決め部が、上側の前記ガイドレールにおける前記第１コネクタ側に設けられている、
請求項２に記載の電子機器。
【請求項４】
前記ユニットが、前記第２プリント基板に対して前記板厚方向の一方側に配置された下側スライド部を有し、
前記幅方向位置決め部が、下側の前記ガイドレールにおける前記収納口側の端部に設けられ、前記下側スライド部を前記板厚方向の両側からスライド可能に支持すると共に、溝幅が前記収納口側へ向かうに従って広くされた幅広溝部である、
請求項１〜請求項３の何れか１項に記載の電子機器。
【請求項５】
前記幅広溝部における前記第２プリント基板側の内側面が、前記収納口側へ向うに従って該幅広溝部における前記下側スライド部側の内側面から離間するように傾斜している、
請求項４に記載の電子機器。
【請求項６】
前記第２コネクタが接続される前記第１コネクタの接続口の内周縁部には、該内周縁部に沿った第１テーパ部が設けられている、
請求項１〜請求項５の何れか１項に記載の電子機器。
【請求項７】
前記第１コネクタに設けられた接続口に挿入される前記第２コネクタの先端部における外周縁部には、該外周縁部に沿った第２テーパ部が設けられている、
請求項１〜請求項５の何れか１項に記載の電子機器。
【請求項８】
第１コネクタを有する第１プリント基板が設けられた筐体と、
前記第１コネクタに接続される第２コネクタを有する第２プリント基板を備え、前記筐体に形成された収納口から該筐体内へ挿入されるユニットと、
前記筐体内に上下方向に間隔を空けて設けられ、前記収納口から挿入された前記ユニットをスライド可能に支持し、前記第２コネクタを前記第１コネクタへ案内する一対のガイドレールと、
前記一対のガイドレールの少なくも一方のガイドレールにおける前記収納口側の端部に設けられ、前記第１コネクタに対して前記第２コネクタを前記ユニットの幅方向に位置決めする幅方向位置決め部と、
前記幅方向位置決め部よりも前記第１コネクタ側に位置し、前記第１コネクタに対して前記第２コネクタを上下方向に位置決めする上下方向位置決め部と、
を備え、
前記第２プリント基板が、板厚方向を前記ユニットの幅方向として配置され、
前記ユニットが、前記第２プリント基板に対して前記板厚方向の両側へ張り出す上側スライド部を有し、
上側の前記ガイドレールが、該ガイドレールに沿って延びると共に前記上側スライド部を前記板厚方向の両側からスライド可能に支持する上側ガイド溝部と、前記上側ガイド溝部の各内側面から互いに相手側へ向けて突出し、前記上側スライド部を下方からスライド可能に支持する一対のガイドリブと、を有し、
前記上下方向位置決め部が、前記一対のガイドリブの上面に形成されると共に前記収納口側へ向けて下方へ傾斜する傾斜面である電子機器に用いられるプリント基板の接続方法であって、
前記収納口に前記ユニットを挿入する第１ステップと、
前記一対のガイドレールに沿って前記ユニットをスライドさせる第２ステップと、
前記一対のガイドレールに沿って幅方向に位置決められてスライドされた前記ユニットを、前記上下方向位置決め部に沿って前記第２コネクタ側へスライドさせる第３ステップと、
を備えたプリント基板の接続方法。
【発明の詳細な説明】
【技術分野】
【０００１】
本発明は、電子機器、及びプリント基板の接続方法に関する。
【背景技術】
【０００２】
メインプリント基板が設けられると共に、メインプリント基板に接続される複数のサブプリント基板を収納するシェルフと、シェルフに設けられ、サブプリント基板をガイドする一対のガイドレールとを備えた電子機器が知られている。これら一対のガイドレールには、サブプリント基板の上端部又は下端部をスライド可能に支持する溝部がそれぞれ形成されている。
【先行技術文献】
【特許文献】
【０００３】
【特許文献１】実開昭６１−１７３１８８号公報
【特許文献２】特開平０２−０３４９９１号公報
【発明の概要】
【発明が解決しようとする課題】
【０００４】
しかしながら、上記のような一対の溝部の形状が各ガイドレールの全長にわたって一定にされていると、以下のようなことが懸念される。
【０００５】
即ち、一対の溝部の溝幅が狭くなる結果、これらの溝部の各々にサブプリント基板の上端部又は下端部を挿入し難くなり、シェルフに対するサブプリント基板の収納作業の作業性が低下する可能性がある。また、ガイドレールが長くなるに従って、メインプリント基板とサブプリント基板とを接続するコネクタ同士の上下方向の位置ずれ量が大きくなる可能性がある。
【０００６】
１つの側面では、本発明は、筐体に対する第２プリント基板の収納作業において、第１プリント基板の第１コネクタと第２プリント基板の第２コネクタとの上下方向の位置ずれ量を低減することを目的とする。
【課題を解決するための手段】
【０００７】
本願が開示する技術では、電子機器が、第１コネクタを有する第１プリント基板が設けられた筐体と、筐体に形成された収納口から当該筐体内へ挿入されるユニットと、を備えている。このユニットは、第１コネクタに接続される第２コネクタを有する第２プリント基板を備えている。また、筐体内には、一対のガイドレールが上下方向に間隔を空けて設けられている。これら一対のガイドレールは、筐体の収納口から挿入されたユニットをスライド可能に支持し、第２コネクタを第１コネクタへ案内する。また、一対のガイドレールの少なくも一方における収納口側の端部には、第１コネクタに対して第２コネクタをユニットの幅方向に位置決めする幅方向位置決め部が設けられている。更に、電子機器は、幅方向位置決め部よりも第１コネクタ側に位置し、第１コネクタに対して第２コネクタを上下方向に位置決めする上下方向位置決め部を備えている。
【発明の効果】
【０００８】
本発が開示する技術によれば、筐体に対する第２プリント基板の収納作業において、第１プリント基板の第１コネクタと第２プリント基板の第２コネクタとの上下方向の位置ずれ量を低減することができる。
【図面の簡単な説明】
【０００９】
【図１】図１は、電子機器の一実施例であるラックマウント装置が収納されたラックを示す正面図、上面図、側面図である。
【図２】図２は、電子機器の一実施例であるラックマウント装置を示す斜視図である。
【図３】図３は、図２に示されるラックマウント装置を示す拡大斜視図である。
【図４】図４は、図３に示されるラックマウント装置に装着される拡張ユニットを示す側面図である。
【図５】図５は、図３に示されるラックマウント装置に装着される拡張ユニットを示す正面図である。
【図６】図６は、図３に示されるラックマウント装置を示す縦断面図である。
【図７】図７は、図３に示されるラックマウント装置のラックを示す正面図である。
【図８】図８（Ａ）は図３に示されるラックマウント装置の上側ガイドレールを示す平面図、右正面図、左正面図であり、図８（Ｂ）は図８（Ａ）の６Ｂ−６Ｂ線断面図である。
【図９】図９（Ａ）は図８（Ａ）の７Ａ−７Ａ線断面図であり、図９（Ｂ）は図８（Ａ）の７Ｂ−７Ｂ線断面図である。
【図１０】図１０は、図８（Ａ）に示される上側ガイドレールの左正面図の拡大図である。
【図１１】図１１（Ａ）は図３に示されるラックマウント装置の下側ガイドレールを示す平面図であり、図１１（Ｂ）は図１１（Ａ）に示される下側ガイドレールの側面図であり、図１１（Ｃ）は図１１（Ａ）の９Ｃ−９Ｃ線断面図である。
【図１２】図１２は、図１１（Ａ）の一部拡大平面図である。
【図１３】図１３（Ａ）及び図１３（Ｂ）は、図３に示される第１コネクタ及び第２コネクタを示す斜視図である。
【図１４】図１４は、図３に示されるラック内へ拡張ユニットの前部が挿入された状態を示す図６に相当する縦断面図である。
【図１５】図１５は、図３に示されるラック内に拡張ユニットが収納された状態を示す図６に相当する縦断面図である。
【発明を実施するための形態】
【００１０】
以下、図面を参照しながら本願が開示する電子機器の一実施例について説明する。なお、各図において適宜示される矢印Ｘは、電子機器の幅方向（装置幅方向）を示し、矢印Ｙは、電子機器の奥行き方向（装置奥行き方向）を示している。また、矢印Ｚは電子機器の上下方向（装置上下方向）を示している。
【００１１】
図１には、電子機器の一例としての複数のラックマウント装置１０が収納されたラックＲＣが示されている。図２に示されるように、各ラックマウント装置１０は、装置本体１２と、装置本体１２に着脱可能に装着される複数の拡張ユニット２０とを備えている。装置本体１２は、第１プリント基板の一例としてのメインプリント基板１４と、メインプリント基板１４が収納された筐体５０を備えている。なお、図２には、ラックＲＣの最下段が示されている。
【００１２】
先ず、拡張ユニット２０の構成について説明する。
【００１３】
図３に示されるように、ユニットの一例としての拡張ユニット２０は、全体として直方体状に形成されており、筐体５０に形成された収納口５０Ａから装置奥行き方向（矢印Ｙ方向）に沿って筐体５０内へ抜き差し可能に挿入される。この拡張ユニット２０は、長手方向（前後方向）を装置奥行き方向にすると共に幅方向を装置幅方向（矢印Ｘ方向）にした状態で、筐体５０内に収納される。なお、各図において適宜示される矢印Ｓは、筐体５０に対する拡張ユニット２０の挿入方向の奥側を示している。
【００１４】
拡張ユニット２０はプラグイン型のユニットとされており、第２プリント基板の一例としてのサブプリント基板２２と、接続用プリント基板２６と、これらのサブプリント基板２２及び接続用プリント基板２６を収納するユニット筐体３０とを備えている。
【００１５】
サブプリント基板２２は、例えば、複数の電子部品が実装されたインターフェースボード等の拡張ボード（拡張カード）であり、板厚方向を拡張ユニット２０の幅方向（矢印Ｘ方向）にして配置されている。また、サブプリント基板２２には、複数の電子部品を電気的に接続する電気回路が形成されている。このサブプリント基板２２の前後方向の後端側には、他の電子機器から延びるケーブル等が接続される２つのコネクタ２４が設けられている。これらのコネクタ２４は、サブプリント基板２２上に形成された電気回路に電気的に接続されている。
【００１６】
サブプリント基板２２の上方には、当該サブプリント基板２２と、筐体５０に設けられたメインプリント基板１４とを接続するための接続用プリント基板２６が配置されている。接続用プリント基板２６には、サブプリント基板２２と同様に、複数の電子部品が実装されると共に、これらの電子部品を電気的に接続する電気回路が形成されている。この接続用プリント基板２６は、サブプリント基板２２に対して直交するように、板厚方向を上下方向（矢印Ｚ方向）にして配置されている。また、図４に示されるように、接続用プリント基板２６の下面には、サブプリント基板２２の上端部に形成された接続部２２Ａが挿入されるコネクタ２８が設けられている。
【００１７】
また、接続用プリント基板２６の前端部には、第２コネクタ４０が設けられている。第２コネクタ４０は箱状に形成されており、接続用プリント基板２６上に形成された電気回路に電気的に接続されている。また、第２コネクタ４０の先端部には、面取り加工によって面取り部４０Ａが形成されている。この第２コネクタ４０が筐体５０に設けられた後述する第１コネクタ１８（図３参照）に挿入されることにより、サブプリント基板２２上の電気回路が、接続用プリント基板２６を介してメインプリント基板１４の電気回路と電気的に接続される。
【００１８】
図５に示されるように、接続用プリント基板２６の幅方向の両端部は、サブプリント基板２２に対して当該サブプリント基板２２の板厚方向（矢印Ｘ方向）の両側へ張り出している。これらの接続用プリント基板２６の両端部には、後述する上側ガイドレール６０によってスライド可能に支持される上側スライド部２６Ｓが設けられている。
【００１９】
図４に示されるように、ユニット筐体３０は、バックカバー３２と、サイドカバー３８とを有している。バックカバー３２は、サブプリント基板２２の後側に配置されると共にサブプリント基板２２側が開口された箱状に形成されている。このバックカバー３２の背面には、サブプリント基板２２に接続された２つのコネクタ２４を露出させる接続口３２Ａ（図３参照）が形成されている。
【００２０】
また、バックカバー３２には、拡張ユニット２０を筐体５０に固定するための着脱レバー３４が設けられている。着脱レバー３４は、拡張ユニット２０の前後方向に延びると共に、長手方向の中央部がバックカバー３２に設けられた回転軸３６に回転可能に支持されている。バックカバー３２の前側に配置された着脱レバー３４の前端部には、接続用プリント基板２６の上方へ延出する係合部３４Ａが形成されている。この係合部３４Ａは、筐体５０に設けられた後述する被係合部８０（図６参照）に係合される。
【００２１】
一方、バックカバー３２から後側へ延出された着脱レバー３４の後端側には、作業者が把持するハンドル部３４Ｂが形成されている。このハンドル部３４Ｂを作業者が上方へ引き上げることにより、着脱レバー３４の前端部に設けられた係合部３４Ａが下方へ移動する。この結果、筐体５０に設けられた被係合部８０から着脱レバー３４の係合部３４Ａが外れ、筐体５０に対する拡張ユニット２０の固定が解除される。
【００２２】
なお、着脱レバー３４は、図示しないスプリング等によって係合部３４Ａが上方へ向う方向に付勢されると共に、当該係合部３４Ａが被係合部８０と係合可能な位置で保持されている。
【００２３】
図５に示されるように、サイドカバー３８は板金等で板状に形成されており、サブプリント基板２２の板厚方向の一方側に、当該サブプリント基板２２と対向して配置されている。サイドカバー３８の上端部には、サブプリント基板２２側へ折り曲げられた取付部３８Ａが設けられている。取付部３８Ａはサブプリント基板２２と接続用プリント基板２６との間に配置されており、この取付部３８Ａにビス４０によって接続用プリント基板２６が取り付けられている。
【００２４】
また、サイドカバー３８の下端部には、後述する下側ガイドレール７０によってスライド可能に支持される下側スライド部３８Ｓが設けられている。下側スライド部３８Ｓは、サイドカバー３８の下端側をサブプリント基板２２側へ折り返して形成されている。
【００２５】
次に、装置本体１２の構成について説明する。
【００２６】
図３及び図６に示されるように、装置本体１２は、前述したように複数の拡張ユニット２０を収納する筐体５０を有している。筐体５０は、装置上下方向に対向する一対の上壁部５２及び下壁部５４と、装置幅方向に対向する図示しない一対の側壁部とを有し、装置奥行き方向の両側が開口されている。これらの上壁部５２及び下壁部５４の間に、複数の拡張ユニット２０が装置幅方向に並んで収納される。
【００２７】
筐体５０の奥側には、メインプリント基板１４が設けられている。メインプリント基板１４は、例えば、ＣＰＵ（Ｃｅｎｔｒａｌ  Ｐｒｏｃｅｓｓｉｎｇ  Ｕｎｉｔ）やメモリ等の複数の電子部品が実装されたマザーボード（メインボード）とされている。また、メインプリント基板１４には、複数の電子部品を電気的に接続する電気回路が形成されている。このメインプリント基板１４は、板厚方向を装置上下方向にして配置されており、筐体５０に設けられた図示しないフレームに支持されている。
【００２８】
メインプリント基板１４の収納口５０Ａ側の端部には、拡張ユニット２０の第２コネクタ４０が接続される複数の第１コネクタ１８が設けられている。各第１コネクタ１８は収納口５０Ａ側が開口された箱状に形成されており、メインプリント基板１４上に形成された電気回路に接続されている。また、これらの第１コネクタ１８は、筐体５０の上壁部５２と下壁部５４との間における上壁部５２側に配置されており、当該第１コネクタ１８に後述する上側ガイドレール６０が取り付けられている。
【００２９】
ここで、図６及び図７に示されるように、筐体５０には、拡張ユニット２０の上側スライド部２６Ｓ及び下側スライド部３８Ｓをスライド可能に支持する一対の上側ガイドレール６０及び下側ガイドレール７０が設けられている。上側ガイドレール６０は筐体５０の上壁部５２の下面に設けられており、下側ガイドレール７０は筐体５０の下壁部５４の上面に設けられている。また、上側ガイドレール６０及び下側ガイドレール７０は、長手方向を装置奥行き方向にすると共に、装置上下方向に対向して配置されている。これらの上側ガイドレール６０及び下側ガイドレール７０によって、拡張ユニット２０に設けられた第２コネクタ４０が筐体５０に設けられた第１コネクタ１８へ案内される。なお、上側ガイドレール６０及び下側ガイドレール７０は、一対のガイドレールの一例である。
【００３０】
具体的には、図８（Ａ）及び図８（Ｂ）に示されるように、上側ガイドレール６０における収納口５０Ａ（図６参照）側の端部６０Ｆには、拡張ユニット２０の上側スライド部２６Ｓが挿入される挿入口６６が形成されている。また、上側ガイドレール６０の下面には、挿入口６６から挿入された上側スライド部２６Ｓをスライド可能に支持する上側ガイド溝部６２が形成されている。なお、挿入口６６の周縁部には、面取り加工によって面取り部が形成されており、当該挿入口６６に拡張ユニット２０の上側スライド部２６Ｓが挿入し易くなっている。
【００３１】
上側ガイド溝部６２は下方が開口された溝状に形成されており、上側ガイドレール６０に沿って直線状に延びている。この上側ガイド溝部６２は、図９（Ａ）に示されるように、底壁部６２Ａと、装置幅方向に対向する一対の側壁部６２Ｂとを有している。これら一対の側壁部６２Ｓによって、挿入口６６（図８参照）から挿入された上側スライド部２６Ｓが装置幅方向の両側からスライド可能に支持される。
【００３２】
図９（Ｂ）に示されるように、上側ガイド溝部６２における第１コネクタ１８側には、拡張ユニット２０の上側スライド部２６Ｓを下方からスライド可能に支持する一対のガイドリブ６４が設けられている。一対のガイドリブ６４は、上側ガイド溝部６２の各側壁部６２Ｂの下端部に沿って設けられると共に、各側壁部６２Ｂの内側面６２Ｂ１から互いに相手側へ向けて突出している。これらのガイドリブ６４の上面６４Ａは、水平面とされている。
【００３３】
また、図８（Ｂ）に示されるように一対のガイドリブ６４の上面６４Ａにおける挿入口６６（収納口５０Ａ側）の端部には、筐体５０の第１コネクタ１８に対して拡張ユニット２０の第２コネクタ４０を装置上下方向に位置決めする傾斜面６４Ｂが形成されている。傾斜面６４Ｂは、ガイドリブ６４の上面６４Ａに対して収納口５０Ａ側へ向って下方へ傾斜されている。この傾斜面６４Ｂ上を拡張ユニット２０の上側スライド部２６Ｓがスライドすることにより、筐体５０の第１コネクタ１８に対して拡張ユニット２０の第２コネクタ４０が装置上下方向に位置決めされる。
【００３４】
図８（Ａ）に示されるように、上側ガイドレール６０における第１コネクタ１８側の端部６０Ｒには、第１コネクタ１８に取り付けられる取付部の一例としての取付溝部６８が設けられている。取付溝部６８は上側ガイドレール６０の下面に形成されており、底壁部６８Ａと、装置幅方向に対向する一対の側壁部６８Ｂとを有している。図１０に示されるように、この取付溝部６８内に第１コネクタ１８の上部を嵌め込むことにより、上側ガイドレール６０が第１コネクタ１８に取り付けられると共に、第１コネクタ１８に対して上側ガイドレール６０が装置幅方向及び装置上下方向に位置決めされる。なお、取付溝部６８の周縁部には、面取り加工によって面取り部６８Ｍが形成されており、当該取付溝部６８内に第１コネクタ１８の上部を嵌め込み易くなっている。
【００３５】
図１１（Ａ）〜図１１（Ｃ）に示されるように、下側ガイドレール７０の収納口５０Ａ側の端部７０Ｆには、拡張ユニット２０の下側スライド部３８Ｓが挿入される挿入口７２が形成されている。また、下側ガイドレール７０の上面には、挿入口７２から挿入された下側スライド部３８Ｓをスライド可能に支持する下側ガイド溝部７４が形成されている。
【００３６】
下側ガイド溝部７４は上方が開口された溝状に形成されており、下側ガイドレール７０に沿って直線状に延びている。この下側ガイド溝部７４は、底壁部７４Ａと、装置幅方向に対向する一対の側壁部７４Ｂとを有している。これら一対の側壁部７４Ｂによって、挿入口７２から挿入された下側スライド部３８Ｓが装置幅方向の両側からスライド可能に支持される。なお、挿入口７２の周縁部には、面取り加工によって面取り部が形成されており、当該挿入口７２に下側スライド部３８Ｓが挿入し易くなっている。
【００３７】
ここで、下側ガイドレール７０の端部７０Ｆには、筐体５０の第１コネクタ１８に対して拡張ユニット２０の第２コネクタ４０を装置幅方向の位置決めする幅方向位置決め部の一例としての幅広溝部７６が形成されている。幅広溝部７６は、底壁部７６Ａと、装置幅方向に対向する一対の側壁部７６Ｂとを有し、下側ガイド溝部７４に接続されている。この幅広溝部７６における一対の側壁部７６Ｂ間の溝幅Ｈ１は、下側ガイド溝部７４の溝幅Ｈ２に対して挿入口７２（収納口５０Ａ側）へ向うに従って広くなっている。
【００３８】
具体的には、図１２に示されるように、幅広溝部７６に下側スライド部３８Ｓが挿入されたときに、サブプリント基板２２側に位置する一方の側壁部７６Ｂの内側面７６Ｂ１が、挿入口７２（収納口５０Ａ）へ向うに従って、以下のように傾斜されている。即ち、一方の側壁部７６Ｂの内側面７６Ｂ１が、挿入口７２（収納口５０Ａ）へ向うに従って下側スライド部３８Ｓ側に位置する他方の側壁部７６Ｂの内側面７６Ｂ２から離間するように傾斜されている。換言すると、幅広溝部７６の溝幅Ｈ１は、下側ガイド溝部７４から挿入口７２（収納口５０Ａ側）へ向うに従ってサブプリント基板２２側へ広がっている。更に、図１１（Ｃ）に示されるように、幅広溝部７６の底壁部７６Ａの上面７６Ａ１は、挿入口７２（収納口５０Ａ）へ向けて下方へ傾斜された傾斜面とされている。
【００３９】
また、幅広溝部７６は、図６に示されるように、上側ガイドレール６０の挿入口６６よりも収納口５０Ａ側へ位置されている。これにより、筐体５０に拡張ユニット２０が挿入されたときに、上側ガイドレール６０よりも先に、下側ガイドレール７０の幅広溝部７６によって拡張ユニット２０がガイドされる。
【００４０】
筐体５０の上壁部５２の下面には、拡張ユニット２０に設けられた着脱レバー３４の係合部３４Ａが係合される被係合部８０が設けられている。被係合部８０は、断面Ｌ字形状のアングル材で形成されており、上側ガイドレール６０よりもラックＲＣの収納口５０Ａ側に配置されている。この被係合部８０に着脱レバー３４の係合部３４Ａが係合されることにより、筐体５０に対して拡張ユニット２０が固定される。
【００４１】
また、図１３（Ａ）に示されるように、第１コネクタ１８には、第２コネクタ４０の挿入部４４が挿入される接続口１９が設けられている。この接続口１９の内周縁部には、当該内周縁部の全周に沿って延びる第１テーパ部１９Ａが設けられている。この第１テーパ部１９Ａは、接続口１９の内周縁部を面取り加工することにより形成されている。この第１テーパ部１９Ａによって、第１コネクタ１８の接続口１９に第２コネクタ４０の挿入部４４に挿入されたときに、第１コネクタ１８の接続口１９に対して第２コネクタ４０の挿入部４４が装置上下方向及び装置幅方向に位置決めされるようになっている。
【００４２】
一方、図１３（Ｂ）に示されるように、第２コネクタ４０の挿入部４４の先端部における外周縁部には、当該外周縁部の全周に沿って延びる第２テーパ部４４Ａが設けられている。この第２テーパ部４４Ａは、挿入部４４の外周縁部を面取り加工することにより形成されている。この第２テーパ部４４Ａによって、第２コネクタ４０の挿入部４４を第１コネクタ１８の接続口１９に挿入したときに、第１コネクタ１８の接続口１９に対して第２コネクタ４０の挿入部４４が装置上下方向及び装置幅方向に位置決めされるようになっている。
【００４３】
次に、筐体５０に対する拡張ユニット２０の装着方法について説明する。
【００４４】
先ず、図６に示されるように、第１ステップの一例として筐体５０に形成された収納口５０Ａから拡張ユニット２０を挿入し、第２ステップの一例として筐体５０の下壁部５４に設けられた下側ガイドレール７０の挿入口７２に拡張ユニット２０の下側スライド部３８Ｓを挿入する。挿入口７２から下側ガイドレール７０内に挿入された下側スライド部３８Ｓは、幅広溝部７６によって下側ガイド溝部７４へ案内される。このとき、図１４に示されるように、拡張ユニット２０の上側スライド部２６Ｓが、筐体５０の上壁部５２に設けられた上側ガイドレール６０の挿入口６６へ挿入される。挿入口６６から上側ガイドレール６０内に挿入された上側スライド部２６Ｓは、上側ガイド溝部６２に沿ってスライドする。これにより、筐体５０に設けられた第１コネクタ１８に対して拡張ユニット２０に設けられた第２コネクタ４０が装置幅方向に位置決めされる。
【００４５】
この状態で、第３ステップの一例として拡張ユニット２０を筐体５０内へ更に挿入すると、拡張ユニット２０の上側スライド部２６Ｓが、ガイドリブ６４に形成された傾斜面６４Ｂ上に沿ってスライドする。これにより、筐体５０の第１コネクタ１８に対して拡張ユニット２０の第２コネクタ４０が装置上下方向に位置決めされる。
【００４６】
更に、拡張ユニット２０を筐体５０内へ挿入すると、図１５に示されるように、拡張ユニット２０の第２コネクタ４０が筐体５０の第１コネクタ１８に接続される。このときに、図１３（Ａ）及び図１３（Ｂ）に示されるように、第１コネクタ１８の接続口１９に設けられた第１テーパ部１９Ａに沿って、第２コネクタ４０の挿入部４４に設けられた第２テーパ部４４Ａがスライドすることにより、第２コネクタ４０の挿入部４４が第１コネクタ１８の接続口１９内へ案内される。これにより、第１コネクタ１８に対して第２コネクタ４０が装置上下方向及び装置幅方向に位置決めされ、第１コネクタ１８に第２コネクタ４０が接続される。この結果、第１コネクタ１８及び第２コネクタ４０を介して拡張ユニット２０のサブプリント基板２２が筐体５０のメインプリント基板１４と電気的に接続される。
【００４７】
また、第１コネクタ１８に対して第２コネクタ４０が接続されると、拡張ユニット２０に設けられた着脱レバー３４の係合部３４Ａが、筐体５０の上壁部５２に設けられた被係合部８０に係合される。これにより、筐体５０に対して拡張ユニット２０が固定される。
【００４８】
次に、本実施例に係るラックマウント装置の作用について説明する。
【００４９】
図６に示されるように、下側ガイドレール７０の収納口５０Ａ側の端部７０Ｆには、幅広溝部７６が設けられている。この幅広溝部７６によって拡張ユニット２０の下側スライド部３８Ｓを装置板厚方向の両側からスライド可能に支持することにより、筐体５０の第１コネクタ１８に対して拡張ユニット２０の第２コネクタ４０が装置幅方向に位置決めされる。
【００５０】
ここで、図１２に示されるように、幅広溝部７６の溝幅Ｈ１は、挿入口７２（収納口５０Ａ側）へ向うに従って広くされている。従って、下側ガイドレール７０の挿入口７２に拡張ユニット２０の下側スライド部３８Ｓを挿入し易くなるため、筐体５０に対する拡張ユニット２０の収納作業の作業性が向上する。即ち、筐体５０に対するサブプリント基板２２の収納作業の作業性が向上する。特に、本実施例は、上側ガイドレール６０及び下側ガイドレール７０が見え難いラックＲＣ（図１参照）の最下段に有効である。
【００５１】
更に、幅広溝部７６における一方の側壁部７６Ｂの内側面７６Ｂ１は、挿入口７２（収納口５０Ａ側）へ向うに従って、他方の側壁部７６Ｂの内側面７６Ｂ２から離間するように傾斜されている。換言すると、幅広溝部７６の溝幅Ｈ１は、下側ガイド溝部７４から挿入口７２（収納口５０Ａ側）へ向うに従って、サブプリント基板２２側へ広がっている。これにより、幅広溝部７６の溝幅Ｈ１を下側ガイド溝部７４から挿入口７２（収納口５０Ａ側）へ向うに従って、下側スライド部３８Ｓ側へ広げた構成と比較して、拡張ユニット２０の装置幅が狭くなる。つまり、拡張ユニット２０を幅方向に小型化することができる。従って、筐体５０に対して装着可能な拡張ユニット２０の数を増やすことができる。
【００５２】
また、図６に示されるように、上側ガイドレール６０の上側ガイド溝部６２における第１コネクタ１８側には、一対のガイドリブ６４が設けられている。一対のガイドリブ６４の上面６４Ａにおける挿入口６６側（収納口５０Ａ側）の端部には、当該上面６４Ａに対して収納口５０Ａ側へ向けて下方へ傾斜する傾斜面６４Ｂがそれぞれ形成されている。これらの傾斜面６４Ｂによって、拡張ユニット２０の上側スライド部２６Ｓを下方からスライド可能に支持することにより、筐体５０の第１コネクタ１８に対して拡張ユニット２０の第２コネクタ４０が装置上下方向に位置決めされる。
【００５３】
このように本実施例では、傾斜面６４Ｂによって、上側ガイドレール６０における第１コネクタ１８側で、筐体５０の第１コネクタ１８に対して拡張ユニット２０の第２コネクタ４０が装置上下方向に位置決めされる。これにより、上側ガイドレール６０における収納口５０Ａ側で、第１コネクタ１８に対して第２コネクタ４０を装置上下方向に位置決めする構成と比較して、第１コネクタ１８に対する第２コネクタ４０の装置上下方向の位置ずれ量が低減される。
【００５４】
更に、本実施例では、上側ガイドレール６０における第１コネクタ１８側にのみ一対のガイドリブ６４が設けられている。従って、本実施例では、一対のガイドリブ６４を上側ガイドレール６０の全長にわたって設けた構成と比較して、上側ガイドレール６０の製造コストが削減される。
【００５５】
更にまた、本実施例では、図１３（Ａ）及び図１３（Ｂ）に示されるように、第１コネクタ１８の接続口１９に第１テーパ部１９Ａが設けられると共に、第２コネクタ４０の挿入部４４に第２テーパ部４４Ａが設けられている。これらの第１テーパ部１９Ａ及び第２コネクタ４０によって、第１コネクタ１８に対して第２コネクタ４０が装置上下方向及び装置幅方向に位置決めされる。これにより、第１テーパ部１９Ａ及び第２テーパ部４４Ａを設けない構成と比較して、本実施例では第１コネクタ１８に対する第２コネクタ４０の装置上下方向及び装置幅方向の位置ずれ量が低減される。
【００５６】
また、上側ガイドレール６０の第１コネクタ１８側の端部６０Ｒには、取付溝部６８が設けられている。この取付溝部６８に第１コネクタ１８を嵌め込むことにより、上側ガイドレール６０の端部６０Ｒが第１コネクタ１８に取り付けられている。即ち、第１コネクタ１８に対して上側ガイドレール６０が直接的に位置決めされている。これにより、上側ガイドレール６０による拡張ユニット２０の上側スライド部２６Ｓの案内精度が向上する。
【００５７】
更に、本実施例では、図５に示されるように、接続用プリント基板２６に上側スライド部２６Ｓが設けられると共に、ユニット筐体３０のサイドカバー３８に下側スライド部３８Ｓが設けられている。これにより、本実施例では、サブプリント基板２２上に上側スライド部２６Ｓ及び下側スライド部３８Ｓを設けた構成と比較して、サブプリント基板２２上に実装可能な電子部品数を増加することができる。即ち、サブプリント基板２２上に高密度に電子部品を実装することができる。
【００５８】
次に、上記実施例に係る電子機器の変形例について説明する。
【００５９】
上記実施例では、下側ガイドレール７０に設けられた幅広溝部７６の溝幅Ｈ１を下側ガイド溝部７４から収納口５０Ａ側へ向うに従ってサブプリント基板２２側へ広げたが、これに限らない。例えば、幅広溝部７６の溝幅Ｈ１は、下側ガイド溝部７４から収納口５０Ａ側へ向うに従って下側スライド部３８Ｓ側へ広げても良い。また、幅広溝部７６の溝幅Ｈ１は、下側ガイド溝部７４から収納口５０Ａ側へ向うに従ってサブプリント基板２２側及び当該サブプリント基板２２の両側へ広げても良い。
【００６０】
また、上記実施例では、幅広溝部７６を下側ガイドレール７０に設けたが、幅広溝部７６は上側ガイドレール６０に設けても良い。この場合、上側ガイドレール６０の幅広溝部７６を下側ガイドレール７０の挿入口７２よりも収納口５０Ａ側へ位置させる。これにより、筐体５０に拡張ユニット２０が挿入されたときに、下側ガイドレール７０よりも先に、上側ガイドレール６０に設けられた幅広溝部７６によって拡張ユニット２０がガイドされる。また、幅広溝部７６は、上側ガイドレール６０及び下側ガイドレール７０の両方に設けることができる。即ち、幅広溝部７６は、上側ガイドレール６０及び下側ガイドレール７０の少なくとも一方に設けることができる。
【００６１】
また、上記実施例では、上側ガイドレール６０における第１コネクタ１８側に傾斜面６４Ｂを設けたが、これに限らない。傾斜面６４Ｂは、幅広溝部７６よりも第１コネクタ１８側に位置していれば良く、上側ガイドレール６０における収納口５０Ａ側に傾斜面６４Ｂを設けても良い。
【００６２】
更に、上記実施例では、上下方向位置決め部の一例としての傾斜面６４Ｂを上側ガイドレール６０に設けたが、上下方向位置決め部は上側ガイドレール６０及び下側ガイドレール７０の少なくとも一方に設けることができる。下側ガイドレール７０に上下方向位置決め部を設ける場合は、例えば、下側ガイド溝部７４の底壁部７４Ａの上面に収納口５０Ａ側へ向けて下方へ傾斜する傾斜面を形成すれば良い。また、上下方向位置決め部は、上側ガイドレール６０及び下側ガイドレール７０以外の部材に設けることも可能である。
【００６３】
また、上記実施形態では、上側ガイドレール６０の端部６０Ｒを第１コネクタ１８に取り付けたが、これに限らない。例えば、第１コネクタ１８を筐体５０の下壁部５４側へ配置し、下側ガイドレール７０の第１コネクタ１８側の端部７０Ｒを当該第１コネクタ１８に取り付けても良い。この場合、下側ガイドレール７０における第１コネクタ１８側に、前述した上下方向位置決め部を設けることが望ましい。
【００６４】
また、上記実施例では、拡張ユニット２０の接続用プリント基板２６に上側スライド部２６Ｓを設けたが、これに限らない。例えば、拡張ユニット２０の第２コネクタ４０の両側の側部にサブプリント基板２２に対して当該サブプリント基板２２の板厚方向の両側へ突出する上側スライド部を設けても良い。また、ユニット筐体３０やサブプリント基板２２に上側スライド部を設けても良い。更に、接続用プリント基板２６は適宜省略可能である。接続用プリント基板２６を省略した場合は、第２コネクタ４０をサブプリント基板２２上に形成された電気回路に直接接続すれば良い。
【００６５】
また、上記実施形態では、第１コネクタ１８に第１テーパ部１９Ａを設けると共に、第２テーパ部４４Ａに第２コネクタ４０を設けたが、これに限らない。これらの第１テーパ部１９Ａ及び第２テーパ部４４Ａのようなテーパ部は、第１コネクタ１８及び第２コネクタ４０の少なくとも一方に設けることができる。また、第１テーパ部１９Ａ及び第２テーパ部４４Ａは適宜省略可能である。
【００６６】
更に、上記実施例では、ユニット筐体３０を構成するサイドカバー３８の下端部に下側スライド部３８Ｓを設けたが、これに限らない。例えば、ユニット筐体３０を構成する他の部材に下側スライド部を設けても良いし、サブプリント基板２２の下端部に下側スライド部を設けても良い。
【００６７】
以上、本願が開示する技術の一実施例について説明したが、本願が開示する技術は上記の実施例に限定されるものでない。また、上記実施例及び各種の変形例を適宜組み合わせて用いても良いし、本願が開示する技術の要旨を逸脱しない範囲において、種々なる態様で実施し得ることは勿論である。
【符号の説明】
【００６８】
１０      ラックマウント装置（電子機器の一例）
１４      メインプリント基板（第１プリント基板の一例）
１８      第１コネクタ
１９      接続口
１９Ａ    第１テーパ部
２０      拡張ユニット（ユニットの一例）
２２      サブプリント基板（第２プリント基板の一例）
２６Ｓ    上側スライド部
３８Ｓ    下側スライド部
４０      第２コネクタ
４４      挿入部
４４Ａ    第２テーパ部
５０      筐体
５０Ａ    収納口
６０      上側ガイドレール（上側のガイドレールの一例）
６０Ｆ    端部（上側のガイドレールの収納口側の端部の一例）
６０Ｒ    端部（上側のガイドレールの第１コネクタの端部の一例）
６２      上側ガイド溝部
６２Ｂ１  内側面（上側ガイド溝部の内側面の一例）
６４      ガイドリブ
６４Ａ    上面（ガイドリブの上面の一例）
６４Ｂ    傾斜面（上下方向位置決め部の一例）
７０      下側ガイドレール（下側のガイドレールの一例）
７０Ｆ    端部（下側のガイドレールの収納口側の端部の一例）
７０Ｒ    端部（下側のガイドレールの第１コネクタ側の端部の一例）
７４      下側ガイド溝部
７６      幅広溝部（幅方向位置決め部の一例）
７６Ｂ１  内側面（サブプリント基板側の内側面の一例）
７６Ｂ２  内側面（下側スライド部側の内側面の一例）
Ｈ１      溝幅（幅広溝部の溝幅の一例）
【図１】
0005924028.tif 000002
【図２】
0005924028.tif 000003
【図３】
0005924028.tif 000004
【図４】
0005924028.tif 000005
【図５】
0005924028.tif 000006
【図６】
0005924028.tif 000007
【図７】
0005924028.tif 000008
【図８】
0005924028.tif 000009
【図９】
0005924028.tif 000010
【図１０】
0005924028.tif 000011
【図１１】
0005924028.tif 000012
【図１２】
0005924028.tif 000013
【図１３】
0005924028.tif 000014
【図１４】
0005924028.tif 000015
【図１５】
0005924028.tif 000016